(57)【特許請求の範囲】
【請求項１】
ハンドルアームの一端側に取り付けたハンドルシャフトに回転自在に取り付けられ、前記ハンドルアームを回転させて釣り糸の巻き取り操作を行うハンドルノブを有する魚釣り用リールにおいて、
前記ハンドルシャフトを覆うように前記ハンドルノブから前記ハンドルアーム側へ延びるハンドルノブ支持軸部の前記ハンドルアームに近接する部分に、前記ハンドルノブを握る方の手の指によって掴まれる掴み部を外面に有し、前記ハンドルノブ支持軸部に正方向と逆方向に回転可能または所定角度範囲内で正方向と逆方向に回動可能に取り付けられたハンドルノブロータを備えることを特徴とする魚釣り用リール。
【請求項２】
前記ハンドルノブロータと前記ハンドルノブ支持軸部の外面との間に圧縮状態に保持され、前記ハンドルノブロータに所定の回動抵抗または回転抵抗を付与する弾性リングを備える、ことを特徴とする請求項１に記載の魚釣り用リール。
【請求項３】
前記ハンドルノブ支持軸部は、前記弾性リングを収容する環状溝を前記ハンドルノブ支持軸部の外面に備え、
前記ハンドルノブロータと前記ハンドルノブ支持軸部の外面との間に、前記弾性リングを挟む位置に配置され、前記ハンドルノブロータが前記弾性リングを圧縮状態で、回動可能または回転可能に支持する軸受け部材を備える、ことを特徴とする請求項２に記載の魚釣り用リール。
【請求項４】
前記ハンドルノブ支持軸部に対する前記ハンドルノブロータの回動範囲制限装置を備え、
前記回動範囲制限装置は、前記ハンドルノブ支持軸部の外面の一部に形成された制御面と、
前記ハンドルノブロータから前記制御面に向かって延びる制御突起を備え、
前記ハンドルノブロータの正方向回動及び逆方向回動に伴って生じる前記制御突起と前記制御面の当接にて、前記ハンドルノブロータの正方向及び逆方向の回動範囲が制限される、
ことを特徴とする請求項２または請求項３に記載の魚釣り用リール。
【請求項５】
前記制御突起は、前記制御面との間隔を調整可能に前記ハンドルノブロータに螺合状態に設けられたことを特徴とする請求項４に記載の魚釣り用リール。
【請求項６】
前記制御突起と前記制御面との間隔が最大となる位置が回動中心位置であり、前記制御突起と前記制御面が当接する位置が前記ハンドルノブロータの回動停止位置である、
ことを特徴とする請求項４または請求項５に記載の魚釣り用リール。
【請求項７】
前記ハンドルノブ支持軸部を前記ハンドルシャフトに回転可能に支持すべく、前記ハンドルシャフトの前記ハンドルアームに近い部分に取り付けた前部のボールベアリングと前記ハンドルシャフトの前記ハンドルアームより遠い部分に取り付けた後部のボールベアリングを備え、
前記弾性リングは前記前部のボールベアリングよりも後方で前記前部のボールベアリングと前記後部のボールベアリングの間に配置され、
前記回動範囲制限装置は、前記弾性リングと前記前部のボールベアリングの間の位置に配置された、
ことを特徴とする請求項４乃至請求項６のいずれかに記載の魚釣り用リール。
【請求項８】
前記回動範囲制限装置による前記ハンドルノブロータの回動範囲が、１０度乃至１２０度である、
ことを特徴とする請求項４乃至請求項７のいずれかに記載の魚釣り用リール。
【発明の詳細な説明】
【技術分野】
【０００１】
本発明は、釣り竿に取り付けて釣り糸を巻き取る魚釣り用リールに関し、特に、それに係るハンドル装置に関する。
【背景技術】
【０００２】
魚釣り用リールの一つとして、両軸受け式魚釣り用リールがある。この種のリールは、リール本体内の左右両側に配置した軸受けに回転自在に支持する釣り糸巻き取り用のリールを備え、このリールの回転中心軸であるリール軸を回転させるために、歯車装置を介してリール本体から延出するハンドル軸に取り付けたハンドルアームを回転させることにより、リールに釣り糸の巻き取り操作を行うハンドル装置を備える。
このハンドル装置は、ハンドルアームの一端側に取り付けたハンドルシャフト（ハンドルノブ軸）に回転自在に取り付けたハンドルノブを備えており、このハンドルノブを握った状態で、ハンドルアームを回転させることにより、リールが回転して釣り糸をリールに巻き取るものがある（特許文献１参照）。
【先行技術文献】
【特許文献】
【０００３】
【特許文献１】特開２０１４−０６４４９４号公報
【発明の概要】
【発明が解決しようとする課題】
【０００４】
このような釣り用リールのハンドル装置は、ハンドルシャフトを覆うように、ハンドルノブからハンドルアーム側へ延びるハンドルノブ支持軸部を備えており、釣り糸の巻き取り操作時に、ハンドルノブを握った方の手の親指と人差し指によってハンドルノブを覆い被せるように握るため、強引な力によってリールに釣り糸を巻き取るようになり、微妙な魚の合わせができ難い。
【０００５】
本発明は、この点に鑑み、ハンドルノブを握る手の指で、ハンドルノブ支持軸部のハンドルアームに近接する部分を掴む状態で、ハンドルアームを回転させる操作を行う場合、その操作を安定して行うことができること。また、ハンドルノブを握る手の親指と人差し指で、ハンドルノブ支持軸部のハンドルアームに近接する部分を掴んで魚とのやり取りを行うことにより、余分な力を入れずに微妙にコントロールすることにより、魚が釣り針から外れずに吊り上げることができる魚釣り用リールのハンドル装置を提供する。
【課題を解決するための手段】
【０００６】
本発明は、
ハンドルアームの一端側に取り付けたハンドルシャフトに回転自在に取り付けられ、前記ハンドルアームを回転させて釣り糸の巻き取り操作を行うハンドルノブを有する魚釣り用リールにおいて、
前記ハンドルシャフトを覆うように前記ハンドルノブから前記ハンドルアーム側へ延びるハンドルノブ支持軸部の前記ハンドルアームに近接する部分に、前記ハンドルノブを握る方の手の指によって掴まれる掴み部を外面に有し、前記ハンドルノブ支持軸部に正方向と逆方向に回転可能または所定角度範囲内で正方向と逆方向に回動可能に取り付けられたハンドルノブロータを備えることを特徴とする。
【０００７】
また、本発明は、
前記ハンドルノブロータと前記ハンドルノブ支持軸部の外面との間に圧縮状態に保持され、前記ハンドルノブロータに所定の回動抵抗または回転抵抗を付与する弾性リングを備える、ことを特徴とする。
【０００８】
また、本発明は、
前記ハンドルノブ支持軸部は、前記弾性リングを収容する環状溝を前記ハンドルノブ支持軸部の外面に備え、
前記ハンドルノブロータと前記ハンドルノブ支持軸部の外面との間に、前記弾性リングを挟む位置に配置され、前記ハンドルノブロータが前記弾性リングを圧縮状態で、回動可能または回転可能に支持する軸受け部材を備える、ことを特徴とする。
【０００９】
また、本発明は、
前記ハンドルノブ支持軸部に対する前記ハンドルノブロータの回動範囲制限装置を備え、
前記回動範囲制限装置は、前記ハンドルノブ支持軸部の外面の一部に形成された制御面と、
前記ハンドルノブロータから前記制御面に向かって延びる制御突起を備え、
前記ハンドルノブロータの正方向回動及び逆方向回動に伴って生じる前記制御突起と前記制御面の当接にて、前記ハンドルノブロータの正方向及び逆方向の回動範囲が制限される、
ことを特徴とする。
【００１０】
また、本発明は、
前記制御突起は、前記制御面との間隔を調整可能に前記ハンドルノブロータに螺合状態に設けられた
ことを特徴とする。
【００１１】
また、本発明は、
前記制御突起と前記制御面との間隔が最大となる位置が回動中心位置であり、前記制御突起と前記制御面が当接する位置が前記ハンドルノブロータの回動停止位置である、
ことを特徴とする。
【００１２】
また、本発明は、
前記ハンドルノブ支持軸部を前記ハンドルシャフトに回転可能に支持すべく、前記ハンドルシャフトの前記ハンドルアームに近い部分に取り付けた前部のボールベアリングと前記ハンドルシャフトの前記ハンドルアームより遠い部分に取り付けた後部のボールベアリングを備え、
前記弾性リングは前記前部のボールベアリングよりも後方で前記前部のボールベアリングと前記後部のボールベアリングの間に配置され、
前記回動範囲制限装置は、前記弾性リングと前記前部のボールベアリングの間の位置に配置された、
ことを特徴とする。
【００１３】
また、本発明は、
前記回動範囲制限装置による前記ハンドルノブロータの回動範囲が、１０度乃至１２０度である、
ことを特徴とする。
【発明の効果】
【００１４】
本発明では、ハンドルシャフトを覆うようにハンドルノブからハンドルアーム側へ延びるハンドルノブ支持軸部のハンドルアームに近接する部分に、ハンドルノブを握る方の手の指によって掴まれる掴み部を外面に有し、ハンドルノブ支持軸部に正逆回動可能または正逆回転可能に取り付けられたハンドルノブロータを備える。
このため、ハンドルノブを握った方の指で掴み部を掴む場合の感覚を、その人に好ましい状態に移動させることができ、ハンドル操作を違和感なく行えるものとなる。
また、ハンドルノブロータは、掴み部を指でしっかりと掴むことができるため、ハンドルノブを回転操作する場合、その操作を安定して行うことができる。このため、掴み部を掴む指が、ハンドルアームの側面へ延出することにより怪我することが予防できるものとなる。
【００１５】
また、ハンドルノブロータはハンドルノブ支持軸部に対し、所定の回動抵抗または回転抵抗でもって正逆回動可能または正逆回転可能とする。この所定の回動抵抗または回転抵抗は、工具なしに、ハンドルノブロータを指で摘んで回すことができるが、単独では自由に回転することのない状態である。このため、一旦所定位置に設定すれば、連続して行う釣り状況下では、その所定位置を保持できることとなり、釣り糸巻き取り操作ごとに設定する必要がなく、安定して魚とのやり取りができる。
【００１６】
また、ハンドルノブロータに所定の回動抵抗または回転抵抗を付与する手段として、ハンドルノブロータとハンドルノブ支持軸部の外面との間に圧縮状態に保持される弾性リングを備えることにより、ハンドルノブロータに付与する回動抵抗または回転抵抗の形成が、低コストで、組み立てし易い構成で以って達成できる。
【００１７】
また、ハンドルノブロータとハンドルノブ支持軸部の外面との間に、弾性リングを挟む位置に配置され、ハンドルノブロータが弾性リングを圧縮状態で、回動可能または回転可能に支持する軸受け部材を備えるため、ハンドルノブロータに所定の回動抵抗または回転抵抗を付与する手段が形成し易く、且つ
ハンドルノブロータの回動または回転を円滑に行える構成となる。
【００１８】
本発明では、回動範囲制限装置によって、ハンドルノブ支持軸部に対するハンドルノブロータの回動範囲が制限される。このため、ハンドルノブロータの回動範囲の標準的な設定としては、例えば、釣りに精通した人が片方の手でハンドルノブを握り、その状態でハンドルノブを握る方の手の指によって掴み部を掴みやすい状態を見定め、その位置を基準位置（中心位置）と定める。その基準位置（中心位置）から正方向と逆方向へ略同じ角度範囲でハンドルノブロータを回動できるように制御面と制御突起の関係を設定する。このように設定した状態で出荷すれば、魚釣り用リールを購入した人は、標準設定されたものを自分の好みに応じた位置にハンドルノブロータを回動して調整できるため、調整がし易く、違和感なく釣りができることとなる。
【００１９】
また、回動範囲制限装置は、ハンドルノブ支持軸部の外面の一部に形成された制御面と、ハンドルノブロータから制御面に向かって延びる制御突起によって構成することによって、ハンドルノブロータで覆われた部分に回動範囲制限装置を設けることができるため、回動範囲制限装置の保護が可能となる。
【００２０】
また、制御突起と制御面との間隔が最大となる位置が回動中心位置であり、制御突起と制御面が当接する位置がハンドルノブロータの回動停止位置であるため、制御突起と制御面が当接する位置によって回動範囲を狭くも広くもできる。このため、例えば平面形状の制御面である場合、その制御面の中心位置における制御突起との間隔を狭く設定すればハンドルノブロータの回動範囲が狭くなり、その制御面の中心位置における制御突起との間隔を広く設定すればハンドルノブロータの回動範囲が広くなり、メーカー出荷時点でハンドルノブロータの回動範囲を、例えば３０度に設定することができる。これによって、釣り人を含めた市場の要求に適合し易くなる。
【００２１】
また、このハンドルノブロータの回動範囲を、魚釣り用リールを購入した人が任意に変更できるようにするためには、制御面との間隔を調整可能に、制御突起をハンドルノブロータに螺合状態に設けることにより、魚釣り用リールを購入した人が制御突起をドライバー等によって回すことにより、その調整が可能となり、釣り人の要求に適合した魚釣り用リールとなる。
【００２２】
また、回動範囲制限装置が弾性リングと前部のボールベアリングの間の位置に配置されることにより、ハンドルシャフトに対するハンドルノブ支持軸部の回転可能状態の支持機能と、ハンドルノブ支持軸部に対するハンドルノブロータを所定の回動抵抗を保つ支持機能を維持しつつ、その構成がコンパクト化できるため、新機能を有するコンパクトなハンドル装置を提供できる。
【００２３】
また、回動範囲制限装置によるハンドルノブロータの回動範囲を１０度乃至１２０度のいずれかの、例えば３０度に設定することにより、釣り人がハンドルノブロータを好みの位置に設定し易くなる。
【図面の簡単な説明】
【００２４】
【図１】本発明に係るハンドル装置を断面で示す説明図である。
【図２】図１のハンドルアームの先端部の拡大図である。
【図３】図１のハンドルアーム側から見た図である。
【図４】本発明に係るハンドルノブロータの図であり、（イ）はハンドルノブロータの前面図、（ロ）は図（イ）のＡ−Ａ断面図である。
【図５】本発明に係るハンドルノブロータが所定角度範囲で回動する構成部分の断面図である。
【図６】本発明に係るハンドルノブロータをハンドルノブ７側からハンドルアーム側を見た図であり、（イ）図は、本発明に係るハンドルノブロータを基準位置（中心位置）ＳＴに設定した状態を示す説明図である。（ロ）図は、本発明に係るハンドルノブロータを基準位置（中心位置）ＳＴから左へ最大回動させた状態を示す説明図である。（ハ）図は、ハンドルノブロータを基準位置（中心位置）ＳＴから右へ最大回動させた状態を示す説明図である。
【図７】本発明に係るハンドルノブロータの回動に係る制御面と制御突起との関係を相対的に示す説明図である。
【図８】本発明に係る魚釣り用リールの釣り竿の竿先方向に向かって右側の側面図（竿先から見た状態では左側面図）である。
【発明を実施するための形態】
【００２５】
本発明は、
ハンドルアームの一端側に取り付けたハンドルシャフトに回転自在に取り付けられ、前記ハンドルアームを回転させて釣り糸の巻き取り操作を行うハンドルノブを有する魚釣り用リールにおいて、
前記ハンドルシャフトを覆うように前記ハンドルノブから前記ハンドルアーム側へ延びるハンドルノブ支持軸部の前記ハンドルアームに近接する部分に、前記ハンドルノブを握る方の手の指によって掴まれる掴み部を外面に有し、前記ハンドルノブ支持軸部に正方向と逆方向に回転可能または所定角度範囲内で正方向と逆方向に回動可能に取り付けられたハンドルノブロータを備える。
【００２６】
本発明を釣り用リールのうちの一つである両軸受け式魚釣り用リールに適用した場合の実施形態を以下に記載する。
本発明に係る両軸受け式魚釣り用リールは、前記特開２０１４−０６４４９４号のように、リール本体に回転自在に支持するリールと、前記リールを回転させるためのハンドル軸に取り付けたハンドルアーム５と、ハンドルアーム５の一端側に取り付けたハンドルシャフト６に回転自在に取り付けられ、回転によって前記リールに釣り糸の巻き取り操作を行う際に手で握るハンドルノブ７を有するハンドル装置８を備える。
【００２７】
ハンドルアーム５、ハンドルシャフト６、ハンドルノブ支持軸部７Ｂ及びハンドルノブ７によってハンドル装置８を構成する。  以下、ハンドル装置８について記載する。
ハンドルシャフト６は、後述のように、固定ネジ２０によってハンドルアーム５に非回転状態に取り付けられる。ハンドルシャフト６は、ハンドルアーム５に近い部分と遠い部分にボールベアリング１０及び１１を備える。
【００２８】
ハンドル操作をする掌で握るハンドルノブ７は、製作上から第１握り部７１と第２握り部７２の組み合わせで構成され、ハンドルノブ７から延びるハンドルノブ支持軸部７Ｂが一体化した構成である。
ハンドルノブ支持軸部７Ｂは、断面円形状の筒状をなし、ハンドルシャフト６を覆うようにハンドルシャフト６に組み合わされ、ハンドルシャフト６の前部と後部に取り付けたボールベアリング１０及び１１によって、ハンドルシャフト６に回転可能に支持される。
【００２９】
ボールベアリング１０は、その外輪１０Ｂがハンドルノブ支持軸部７Ｂの先端側の段部に当接する状態で、内輪１０Ａがハンドルシャフト６に嵌合状態に取り付けられる。また、ボールベアリング１１は、その外輪１１Ｂがハンドルノブ支持軸部７Ｂの後端側の段部に当接し、内輪１１Ａがハンドルシャフト６の後端拡大部６Ｐに当接する状態で、ボールベアリング１１の内輪１１Ａがハンドルシャフト６に嵌合状態に取り付けられる。
この状態で、ハンドルノブ７をハンドルノブ支持軸部７Ｂの後端部にネジ結合する。このネジ結合部は、図１に符号７３で示す。
【００３０】
ハンドルノブ支持軸部７Ｂのハンドルアーム５に近い部分の外面には、ハンドルノブ７を握る方の手の指によって掴まれる掴み部１４Ａを外面に有するハンドルノブロータ１４を備える。ハンドルノブロータ１４は、円筒形状をなし、ハンドルノブ支持軸部７Ｂに正逆方向回動可能、または正逆方向回転可能に取り付けられている。
【００３１】
ハンドルノブロータ１４は、軸受部材としての合成樹脂製の円形状のカラー１５Ａ、１５Ｂと、回動または回転に対して所定の抵抗を維持する弾性部材として作用する円形状のＯリング（オーリング）１６を介して、ハンドルノブ支持軸部７Ｂに取り付けられている。Ｏリング（オーリング）１６は、合成ゴム等の弾性材で構成され、ハンドルノブロータ１４の回動または回転によって外れないように安定的に保持されるようにするために、ハンドルノブ支持軸部７Ｂの先端部に形成した環状溝２１に収容される。
【００３２】
前記所定の抵抗は、ハンドルノブロータ１４をハンドルノブ支持軸部７Ｂに取り付けた状態で、Ｏリング（オーリング）１６が、環状溝２１に圧縮状態で保持されることによって得られる。この構成によって、ハンドルノブロータ１４は、スパナ等の工具を用いることなく、指で摘んで少し強い作用力で回動または回転させることができるが、その作用力を付与しない状態では、単独で自由に回転することがなく、ハンドルノブ支持軸部７Ｂに対して静止した状態を維持する構成である。
カラー１５Ａ、１５Ｂはすべり効果に優れた樹脂であり、Ｏリング（オーリング）１６を挟む前後位置関係に配置され、断面がＬ字状をなす同一形状であり、ハンドルノブロータ１４の前後のコーナ部を支持する。
【００３３】
ハンドルノブロータ１４は、円筒状をなし、ハンドルノブ７を握る方の手の親指及び人差し指によって掴まれる掴み部１４Ａを外面に有する。掴み部１４Ａは、ハンドルノブロータ１４外面に９０度間隔で形成した平面状または窪み形状をなす。ハンドルノブロータ１４は、後端部、即ちハンドルアーム５から遠い端部に、ハンドルノブ支持軸部７Ｂ側からハンドルアーム５の方向に上昇する傾斜面１４Ｂを有する。
【００３４】
ハンドルアーム５の一端側に形成した貫通孔１６には、ハンドルアーム５を挟むようにステンレス製のカラー１８、１９が挿入される。このカラー１８は、円形状をなし、ハンドルアーム５の前面に当接するフランジを備え、カラー１９は、ハンドルアーム５の後面に当接するフランジを備える。
【００３５】
上記のように、ハンドルノブ７と結合し、且つハンドルノブロータ１４を取り付けたハンドルノブ支持軸部７Ｂをハンドルシャフト６に組み合わせた状態で、ハンドルアーム５の後方からハンドルシャフト６の前端部をカラー１８、１９で形成する孔に嵌合するように挿入し、ハンドルシャフト６のネジ孔６Ｎに螺合する取り付けネジ２０によって、ハンドルシャフト６をハンドルアーム５に固定する。
【００３６】
この取り付けによって、ハンドルシャフト６がハンドルアーム５に非回転状態に固定され、カラー１９がボールベアリング１０の内輪１０Ａに当接し、ハンドルシャフト６がハンドルアーム５に略直角状態となる。
【００３７】
この取り付けによって、樹脂製のカラー１５Ａは、ハンドルアーム５とスライド状態でもよいが、ハンドルアーム５とハンドルノブロータ１４によって押圧されない状態に維持することが好ましい。例えば、樹脂製のカラー１５Ａとハンドルアーム５との間に０．２ｍｍ〜０．６ｍｍの隙間が保たれる状態とする。これによって、ハンドルノブ７は、ハンドルアーム５の一端側に取り付けたハンドルシャフト６に回転自在な取り付け状態となる。
【００３８】
また、ハンドルノブ７の軸線Ｙは、ハンドルシャフト６の軸線ＰＣに対して所定の角度αでハンドルアーム５側に傾斜状態である。この状態で、ハンドルノブ７の回転によってリールに釣り糸の巻き取り操作を行うことが円滑となる。
【００３９】
この巻き取り操作前、または巻き取り操作時において、ハンドルノブ７を握った手の親指と人差し指が、それぞれの掴み部１４Ａに当たるように、ハンドルノブ支持軸部７Ｂに対してハンドルノブロータ１４を回して調整する。
この状態で、ハンドルノブ７を握った状態で、その握った手の指（親指及び人差し指）をハンドルノブ支持軸部７Ｂに沿ってハンドルノブロータ１４に向けて滑らせるとき、その指がハンドルノブ支持軸部７Ｂの先端に形成した拡大径部からハンドルノブロータ１４に向かうとき、ハンドルアーム５の後端がエッジであれば怪我する虞があるが、傾斜面１４Ｂを有するため怪我なく円滑にハンドルノブロータ１４に向かうことができ、ハンドルノブロータ１４の掴み部１４Ａに円滑に移動できるようになる。
【００４０】
ハンドルノブロータ１４は、ハンドルノブ支持軸部７Ｂに対して殆ど抵抗なく自由に回転する状態とすることもできるが、その場合は、ハンドルノブ支持軸部７Ｂに対するハンドルノブロータ１４の位置が定まらないため、ハンドルノブ７を握った手の親指と人差し指が、それぞれの掴み部１４Ａに安定した状態を保持し難い。また、釣り糸巻き取り操作時ごとに掴み部１４Ａの位置が変わることとなり、釣り糸巻き取り操作時ごとに、親指と人差し指がそれぞれの掴み部１４Ａに違和感のない状態となる調整が必要となり、面倒である。
【００４１】
そのため本発明では、ハンドルノブロータ１４は、スパナ等の工具を用いることなく、指で摘んで少し強い作用力で回すことができるが、その作用力を付与しない状態では自由に回転することのない構成とする。具体的には、樹脂製のカラー１５Ａがハンドルアーム５とスライド状態となっても、ハンドルノブロータ１４は、ハンドルノブ支持軸部７Ｂとの回転抵抗に比してハンドルアーム７との回転抵抗が小さい状態とする。この抵抗は、ハンドルノブロータ１４をハンドルノブ支持軸部７Ｂに取り付けた状態で、Ｏリング（オーリング）１６が、環状溝２１に圧縮状態で保持されることによって生じる反発力によって、所定の抵抗状態にハンドルノブロータ１４が維持される構成である。
【００４２】
これによって、ハンドルノブロータ１４は、掴み部１４Ａを親指と他の指で摘んで強い力で回すことができるが、自由に回転することのない状態となり、握り部７Ａを握って釣り糸をリール３に巻き取り操作を行う際に、握り部７Ａを握った手の親指と人差し指が、それぞれの掴み部１４Ａに安定した状態を保持でき、魚との微妙な合わせが行えることとなる。
更に、ハンドルノブロータ１４をハンドルアーム５側であるハンドルノブ支持軸部７Ｂの先端部に取り付けが容易となり、ハンドルノブ支持軸部７Ｂへのハンドルノブロータ１４の取り付け構造が簡素化できる。
【００４３】
ハンドルノブ支持軸部７Ｂの回転中心軸線ＰＣからハンドルノブロータ１４の外形までの距離は、ハンドルノブ支持軸部７Ｂの回転中心軸線ＰＣからハンドルアーム５の先端までの距離よりも、０．５ｍｍ〜２ｍｍ長い。
また、ハンドルノブ支持軸部７Ｂの回転中心軸線ＰＣからハンドルアーム５の先端までの距離は、ハンドルノブ支持軸部７Ｂの回転中心軸線ＰＣから掴み部１４Ａまでの距離と略同等であり、実施例では、後者の距離が前者の距離よりも若干短い。
これによって、握り部７Ａを握った手の親指と人差し指が、ハンドルアーム５の先端によってけがする虞は抑制できる。
【００４４】
なお、ハンドルノブロータ１４は、３６０度以上の範囲で正逆方向に制限なく回転する取り付けでもよいが、例えば、１０度（中心から左右５度ずつの範囲で往復動可能）、または同様に３０度、６０度、９０度、１２０度等のように、所定角度範囲内で正逆方向に回動する回動制限構成とした取り付けでもよい。
また、掴み部１４Ａは９０度間隔の形成に限らず、６０度間隔のように、適宜の角度に設定することもできる。
【００４５】
上記のようなハンドルノブロータ１４が所定角度範囲内で正逆方向に回動する回動制限構成について、以下に記載する。
前記回動制限構成として、本発明に係る魚釣り用リールは、ハンドルノブ支持軸部７Ｂに対するハンドルノブロータ１４の回動範囲制限装置３０を備えている。
以下、回動範囲制限装置３０の具体的構成について図５以降を参照して説明する。
【００４６】
回動範囲制限装置３０は、ハンドルノブ支持軸部７Ｂの外面の一部に形成された制御面３１と、ハンドルノブロータ１４から制御面３１に向かって延びる制御突起３２を備え、ハンドルノブロータ１４の正方向回動及び逆方向回動に伴って生じる制御突起３２と制御面３１の当接によって、ハンドルノブロータ１４の正方向及び逆方向の回動範囲が制限される構成である。
【００４７】
図１及び図２と同様に、図５に示すように、弾性リングであるＯリング（オーリング）１６は、前部のボールベアリング１０よりも後方に配置されており、回動範囲制限装置３０は、弾性リング１６と前部のボールベアリング１０の間の位置に配置されている。このため、前部のボールベアリング１０と環状溝２１との間で、ハンドルノブ支持軸部７Ｂの外面に制御面３１が平坦状に形成される。そして、この制御面３１に向かうように、ハンドルノブロータ１４の内面から制御突起３２が突出している。
【００４８】
制御突起３２は、制御面３１との間隔Ｓが一定の状態を保ように、ハンドルノブロータ１４の内面から所定長さＴＬだけ突出するように、ハンドルノブロータ１４に固定した状態でもよいが、後述のようにハンドルノブロータ１４の回動範囲を狭くしたり広くしたり調整可能とするために、ハンドルノブロータ１４に貫通形成したネジ孔３３に螺合状態に取り付けるネジ形態である。これによって、ハンドルノブロータ１４から制御面３１へ向かい突出長さＴＬを変えることができ、制御突起３２の先端都と制御面３１との間隔Ｓを変化させることができる。
【００４９】
制御突起３２は、頭部３２Ａが皿形状をなす皿ネジ形態である。
ネジ孔３３は、掴み部１４Ａと掴み部１４Ａの間のハンドルノブロータ１４の外面からハンドルノブロータ１４の内面に至るように、ハンドルノブロータ１４を垂直に貫通形成されている。ネジ孔３３に制御突起３２を螺合させたとき、制御突起３２の頭部３２Ａの皿形状部３２Ａ１が面接触状態で当接するように、ネジ孔３３の外側端部も皿形状部３３Ｂをなすように、ザグリ加工されている。
【００５０】
この構成によって、ネジ孔３３に制御突起３２を螺合させ、制御突起３２の頭部３２Ａの皿形状部３２Ａ１がネジ孔３３の外側端部の皿形状部３３Ｂに当接した状態で、制御突起３２の頭部３２Ａはネジ孔３３の外側端部に潜り込み、頭部３２Ａがハンドルノブロータ１４の外面から突出しない寸法関係である。
これによって、ハンドルノブロータ１４を回動操作する場合に、制御突起３２が操作する指の邪魔にならず、その指が制御突起３２に接触して怪我することもない。なお、ネジ孔３３の外側端部に潜り込んだ制御突起３２の頭部３２Ａを着脱可能な合成樹脂製キャップ３４によって覆う。キャップ３４の外側面は、ハンドルノブロータ１４の外面から突出しないように、ハンドルノブロータ１４の外面と同一か僅かに低い状態である。
【００５１】
そして、制御突起３２の頭部３２Ａの皿形状部３２Ａ１がネジ孔３３の外側端部の皿形状部３３Ｂに当接した状態で、制御突起３２の先端がハンドルノブロータ１４の内面から所定長さＴＬだけ突出し、制御突起３２の先端と制御面３１との間隔Ｓが一定の状態に保たれる。
【００５２】
制御面３１は、ハンドルシャフト６方向へ窪む円弧状やその他の形状等にすることもできるが、ハンドルノブロータ１４の回動範囲を定め易くすることや、製作のし易さ等を考慮して、実施例では平坦面に形成している。
【００５３】
上記の構成において、ハンドルノブロータ１４の回動範囲の標準的な設定としては、例えば、釣りに精通した人が片方の手でハンドルノブ７を握り、その状態でハンドルノブ７を握る方の手の指によって掴み部１４Ａを掴みやすい状態を見定め、その位置を基準位置（中心位置）ＳＴと定める。その基準位置（中心位置）ＳＴから正方向と逆方向へ略同じ角度範囲でハンドルノブロータ１４を回動できるように制御面３１と制御突起３２の関係を設定する。
基準位置（中心位置）ＳＴにおける設定状態を標準設定という。
【００５４】
上記のように弾性リングであるＯリング（オーリング）１６が圧縮状態であるため、魚釣り用リールがメーカーから販売店に到着するまでの通常の輸送過程において、ハンドルノブロータ１４はその位置を保持できることとなり、標準設定状態で販売店の店頭に陳列されることとなる。
【００５５】
このように標準設定した状態の魚釣り用リールを購入した人は、標準設定されたものが自分の好みに適合しておれば、そのまま使用すればよい。この標準設定されたものが自分の好みに適合していない場合は、ハンドルノブロータ１４を回動して自分の好みに適合した状態に調整する。このように、自分の好みに適合できるため、違和感なく釣りができることとなる。
【００５６】
次に、基準位置（中心位置）ＳＴに設定された標準設定と、この標準設定から所定角度範囲でハンドルノブロータ１４を回動して、ハンドルノブロータ１４を所定位置に調整する場合の一つの実施例を説明する。
【００５７】
先ず、ハンドルノブロータ１４の外面に９０度間隔で平面状の掴み部１４Ａを形成し、ハンドルノブロータ１４を略３０度の範囲で回動できる構成とする場合について説明する。
メーカーでの製造段階において、釣りに精通した人が片方の手のひらでハンドルノブ７を握り、ハンドル操作をし易い状態におけるハンドルノブ７の軸線をＮＴとする。
その状態でハンドルノブ７を握る方の手の指によってハンドルノブロータ１４を回動させ、掴み部１４Ａをハンドルノブ７を握る方の手の親指とその他の指（人差し指または中指）で掴みやすい状態に設定する。
この状態で、ハンドルノブ７の軸線ＮＴに対する制御突起３２の軸線ＡＴの角度は、図６（イ）図に示すようにθである。この位置がハンドルノブロータ１４の基準位置（中心位置）ＳＴであり、制御突起３２の軸線ＡＴの位置である。
【００５８】
前記角度θを測定し、そのデータを基にして、基準位置（中心位置）ＳＴにおける制御突起３２の軸線ＡＴと略直角（直角含む）に交差する位置に制御面３１を形成する。
この場合、制御突起３２の頭部３２Ａの皿形状部３２Ａ１がネジ孔３３の外側端部の皿形状部３３Ｂに当接した状態で、ハンドルノブロータ１４が所定角度範囲で往復回動可能となるように、制御面３１と制御突起３２との間隔Ｓを設定する。
このようにして構成された魚釣り用リールは、ハンドルノブロータ１４が基準位置（中心位置）ＳＴに設定され、所定角度範囲で往復回動可能なものとなる。
【００５９】
その一つとして、図６には、上記のようにハンドルノブロータ１４の外面に９０度間隔で平面状の掴み部１４Ａを形成し、ハンドルノブロータ１４を略３０度の範囲で回動できる構成の魚釣り用リールを示す。図７には、制御面３１と制御突起３２との関係を相対的に示す。
【００６０】
図６（イ）図が、ハンドルノブロータ１４を基準位置（中心位置）ＳＴに設定した状態である。この状態で、平坦な制御面３１に対して制御突起３２の軸線ＡＴ（図６のＳＴ状態と同一）が直角または略直角に交差する状態であり、制御面３１と制御突起３２と間隔Ｓが最大となる状態である。この状態は、図７において制御面３１を実線で示す状態である。
【００６１】
図６（ロ）図が、ハンドルノブロータ１４を基準位置（中心位置）ＳＴから左へ最大回動させた状態である。この状態で、制御突起３２の先端が制御面３１の左端側に当接し、それ以上ハンドルノブロータ１４を回動できない。このときの制御突起３２の軸線ＡＴと基準位置（中心位置）ＳＴとの間が最大回動角度α１である。実施例では最大回動角度α１が略１５度である。この状態は、図７において制御面３１を一点鎖線３１Ａで示す状態である。
【００６２】
図６（ハ）図が、ハンドルノブロータ１４を基準位置（中心位置）ＳＴから右へ最大回動させた状態である。この状態で、制御突起３２の先端が制御面３１の右端側に当接し、それ以上ハンドルノブロータ１４を回動できない。このときの制御突起３２の軸線ＡＴと基準位置（中心位置）ＳＴとの間が最大回動角度α２である。実施例では最大回動角度α２が略１５度である。この状態は、図７において制御面３１を一点鎖線３１Ｂで示す状態である。
【００６３】
この構成において、制御突起３２の頭部３２Ａがハンドルノブロータ１４の外面から突出しない範囲において、ハンドルノブロータ１４の内面からの突出長さを短くするように、制御突起３２をネジ調整することによって、ハンドルノブロータ１４の回動に伴う制御面３１との当接位置が変わる。これによって、ハンドルノブロータ１４の回動範囲が拡大し、調整範囲が広くなる。
【００６４】
また、制御突起３２をネジ調整することなく、ハンドルノブロータ１４の回動範囲が拡大または縮小するものとするためには、制御突起３２の先端と制御面３１との間隔Ｓが拡大または縮小するように、制御面３１をハンドルノブ支持軸部７Ｂの外面に深くまたは浅く形成することによって達成できる。
【００６５】
上記同様の構成によって、ハンドルノブロータ１４が、１０度乃至１２０度の範囲等、所定角度範囲で往復回動可能とすることができる。
【００６６】
このように、基準位置（中心位置）ＳＴを中心として、ハンドルノブロータ１４を正方向と逆方向（左右方向と称することもできる）に所定範囲で回動できるため、釣り人の好みに応じた調整が可能となる。
【００６７】
図８に示すように、本発明に係る両軸受け式魚釣り用リール１は、上記同様、前記特開２０１４−０６４４９４号のように、釣り糸巻き取り用のリール（スプールと同じ）を回転させるためのハンドル軸ＨＧに取り付けたハンドルアーム５と、ハンドルアーム５の一端側に取り付けたハンドルシャフト６に回転自在に取り付けられ、回転によって前記リール（スプールと同じ）に釣り糸の巻き取り操作を行う際に手で握るハンドルノブ７を有するハンドル装置８を備える。この魚釣り用リール１は、前記特開２０１４−０６４４９４号のように釣り竿に取り付けた状態で、ハンドルノブ７を手で握らない状態において、ハンドルアーム５がいずれの回転位置にあっても、ハンドルノブ７は図１及び図８に示すように、第１握り部７１が上位置で第２握り部７２が下位置となる状態を保つように、下部の重量を大きく、ハンドルノブ７が垂直方向軸ＳＧに沿った状態を保ように構成する。
【００６８】
これにより、釣り人がハンドルノブ７を手で握り易くなる態勢が常時保たれることとなり、釣り人がハンドルノブ７を手で握っていない状態では、握ハンドルノブ７の軸線ＮＴは垂直方向軸ＳＧに一致しており、上記のように、釣りに精通した人が片方の手のひらでハンドルノブ７を握ってハンドル操作をし易い状態では、または釣り人がハンドルノブ７を手で握ってハンドル操作をし易い状態では、ハンドルノブ７の上部が前方へ傾き、図８に示すように、ハンドルノブ７の軸線ＮＴは、垂直方向軸ＳＧよりも竿先方向である前方へ角度βだけ回動した状態となる。
【００６９】
上記の構成では、ハンドルノブロータ１４は、ハンドルノブロータ１４の内面とハンドルノブ支持軸
部７Ｂの外面との間に圧縮状態に保持される弾性リング１６によって、ハンドルノブロータ１４に所定の回動抵抗または回転抵抗が与えられている。弾性リング１６はシリコンゴムのような耐久性のある材質を選択すれば、安定した回動抵抗または回転抵抗を与えることができるが、ハンドルノブ支持軸７Ｂの外面に弾性リング１６を収容するための環状溝２１の加工や、弾性リング１６を必要とし、ハンドルノブロータ１４に所定の回動抵抗または回転抵抗が付与されるためのテスト等が必要となる。
【００７０】
これに対して、弾性リング１６を省き、環状溝２１の加工が不要な構成とすることにより、コストダウン機種としての魚釣り用リール１とすることができる。この場合、ハンドルノブロータ１４は、上記同様に、ハンドルノブ支持軸７Ｂに対して、軸受部材としての円形状のカラー１５Ａ、１５Ｂを介して回転可能または所定角度範囲で回動可能に取り付けられる状態となる。このため、弾性リング１６によって付与された抵抗がなくなる分だけ、ハンドルノブロータ１４は、ハンドルノブ支持軸７Ｂに対して自由に回転可能または所定角度範囲で回動可能な状態となる。
【００７１】
本発明は、上記のように、両軸受け式魚釣り用リールに適するものであるが、上記実施形態の構成に限定されることなく、本発明の範囲における種々の変更を包含するものである。このため、両軸受け式魚釣り用リールに限定されず、本発明の機能及び効果が活かせる範囲で、種々の魚釣り用リールに適用できる。
【符号の説明】
【００７２】
７・・・・ハンドルノブ
７Ｂ・・・ハンドルノブ支持軸部
８・・・・ハンドル装置
１０・・・ボールベアリング
１１・・・ボールベアリング
１４・・・ハンドルノブロータ
１５Ａ・・カラー
１５Ｂ・・カラー
１６・・・弾性リング
１８・・・カラー
１９・・・カラー
２０・・・取り付けネジ
２１・・・環状溝
３０・・・回動範囲制限装置
３１・・・制御面
３２・・・制御突起
【図１】
0006649136.tif 000002
【図２】
0006649136.tif 000003
【図３】
0006649136.tif 000004
【図４】
0006649136.tif 000005
【図５】
0006649136.tif 000006
【図６】
0006649136.tif 000007
【図７】
0006649136.tif 000008
【図８】
0006649136.tif 000009